(57)【要約】【課題】簡単な構造で外部インターフェイスのキャップの挿入と固定とを実現できる携帯電子機器を提供する。【解決手段】ＩＦコネクタ１１１を外部露出から保護するためのコネクタキャップ３が携帯端末１００に取り付けされるときには、コネクタキャップ３の舌片３２及び抜け止め部３３が携帯端末１００の筐体内のサブフレーム１２に設けられた係止部２０とＩＦコネクタ１１１との間に挿入されるが、係止部２０の爪部２１は、抜け止め部３３が挿入時に当接する面に携帯端末の内部側から外部側へと傾斜した傾斜部２１ａを有し、傾斜部２１ａが抜け止め部３３によって押されることにより、爪部２１をサブフレーム１２に保持する保持部２２が所定の方向に弾性変形し、抜け止め部３３が爪部２１を完全に越えて挿入が完了されることにより爪部２１が元の位置に戻り、抜け止め部３３の抜けを規制するように構成する。【選択図】図４
2009110749.tif 000002
【特許請求の範囲】
【請求項１】
外部機器との接続端子或いは記憶媒体の挿入口である外部インターフェイスを内包し、前記外部インターフェイスの挿入口を露出する開口部が形成された筐体と、
前記開口部を覆うキャップ部材と、
を有し、
前記キャップ部材は、前記筐体内に差し込まれる舌片を有し、
前記舌片の先端部に抜け止め部が形成され、
前記筐体内には、前記開口部付近に所定の方向に弾性変形可能な係止部が形成されており、
前記舌片が前記筐体内に挿入されるとき、前記抜け止め部により前記係止部が弾性変形して当該抜け止め部の挿入が許容され、当該抜け止め部が前記係止部を越えた場合には前記係止部の弾性変形が解除されてもとの形状に復帰し、当該係止部は前記抜け止め部の前記挿入方向とは逆方向への移動を規制する
ことを特徴とする携帯電子機器。
【請求項２】
前記係止部は、前記筐体内において固定されたフレーム部材から延在され、
当該係止部には、その先端部が前記キャップ部材の挿入方向を横切る方向に対向し、それぞれ可撓性を有する１対の爪部が形成されている
ことを特徴とする請求項１に記載の携帯電子機器。
【請求項３】
前記係止部には、前記筐体内において固定されたフレーム部材から延在され、当該フレーム部材から前記キャップ部材の挿入方向を横切る方向に、片持ちで可撓性を有して延在される１本の爪部が形成されている
ことを特徴とする請求項１に記載の携帯電子機器。
【請求項４】
前記爪部は、前記抜け止め部による挿入方向への加力に応じて、前記所定の方向へと前記係止部を弾性変形させるよう当該抜け止め部の挿入時における当接箇所が傾斜面に形成されている
ことを特徴とする請求項１から３のいずれか一項に記載の携帯電子機器。
【請求項５】
前記係止部の少なくとも一部は、前記筐体の内壁に当接し、
当該係止部の前記挿入方向と逆方向への弾性変形が当該内壁により規制される
ことを特徴とする請求項１から４のいずれか一項に記載の携帯電子機器。
【請求項６】
前記フレーム部材は、前記外部インターフェイスに隣接して前記筐体に固定され、
前記係止部と前記外部インターフェイスとの間に前記舌片が挿入される
ことを特徴とする請求項１から５のいずれか一項に記載の携帯電子機器。
【請求項７】
前記筐体は、前記係止部と対向する箇所に外部給電端子を有し、
前記係止部と前記外部給電端子との間には、前記係止部と当接するように給電端子が固定されており、
前記外部給電端子と、前記給電端子のいずれかには、導電体であるとともに前記給電端子に付勢力を持って当接するバネ端子が形成され、
前記バネ端子の付勢方向と前記係止部の弾性変形方向とは逆向きである
ことを特徴とする請求項１から６のいずれか一項に記載の携帯電子機器。
【発明の詳細な説明】
【技術分野】
【０００１】
本発明は、外部インターフェイスの挿入口に被せるキャップを有する携帯電子機器に関する。
【背景技術】
【０００２】
携帯電話等の携帯電子機器では、製造時、組み立ての最終工程で正常に動作するか否かの動作チェックを行うことが一般的である。携帯電子機器は、例えばイヤホン、外部メモリスロット等の外部インターフェイス用のコネクタを有するものが多く、動作チェック時にはこれらのコネクタに検査機器等を接続して行うことが多いため、これらコネクタのキャップ（カバー）類は動作チェック終了後、すなわち携帯電子機器本体の組み立て終了後に行われることが望ましい。このため、コネクタのキャップ類は、携帯電子機器が完成した状態で取り付け可能で、かつ取り付け後は容易に抜けないようなものである必要がある。
【０００３】
このような要求を満足するキャップとして、例えば特許文献１〜３に開示された技術がある。
特許文献１には、先端部分に引っ掛け爪が形成された突起部を有し、当該突起部により筐体に装着されるコネクタカバーと、外部接続用コネクタと、外部接続用コネクタに対応する開口部と、突起部が挿入される孔が形成され、孔を突起部の先端部分が通過した先に引っ掛け爪を係止するリブを有する係止部と、を備える筐体と、を備え、突起部の先端部分には溝が設けられており、突起部の先端部分は、溝の方向に収縮して係止部の孔を通過するように構成された携帯端末装置及びコネクタカバーが開示されている。
特許文献２には、コネクタキャップの舌片に屈曲凸部と係止開口部とを備えると共に、舌片が挿入される端末装置本体内における前記屈曲凸部と対向する一方の面及び該一方の面に対向する他方の面にそれぞれ抜止用抜け止め部を備え、各抜止用抜け止め部は、コネクタキャップを端末装置本体から引き出して前記一方の抜止用抜け止め部に屈曲凸部が係止されたときに、他方の抜止用抜け止め部に係止開口部の端縁が係止されるよう配置され、且つ各抜止用抜け止め部のコネクタユニット用開口側の面がそれぞれ傾斜面となるようにしたコネクタキャップ構造と端末装置が開示されている。
特許文献３には、携帯端末の開口部の両側の孔に突入して嵌合する柱状連結部の基部に抜け止め部を形成し、柱状連結部が孔に完全に突入した状態で抜け止め部が孔に裏面から係合する携帯端末用コネクタカバーが開示されている。
【０００４】
【特許文献１】特開２００３−２５８９６４号公報
【特許文献２】特開２００５−２９４９３６号公報
【特許文献３】特開２００５−２２９２３２号公報
【発明の開示】
【発明が解決しようとする課題】
【０００５】
上述した特許文献１〜３におけるコネクタキャップ（カバー）は、エラストマやゴムのような変形性を有する材料を使用し、突起部等を変形させて携帯電子機器の筐体内に挿入し固定している。
このようなキャップでは以下のような不利益が生じることがある。
第１に、キャップを変形させて携帯電子機器に挿入するために、適度な硬さと柔らかさを兼ね備える必要があるが、エラストマやゴム材料で最適な硬さ（柔らかさ）を有するコネクタキャップを形成することが難しい、という不利益がある。
第２に、携帯電子機器の筐体内にキャップの一部を挿入し固定する仕組みであるため、筐体内にキャップの一部を固定するためのスペースが必要となるが、携帯電子機器はその携帯性のために小型化の要望が強く、キャップの固定のために割くスペースが確保しにくい、という不利益がある。
【０００６】
このような不利益を解消するために、本発明は、簡単な構造で外部インターフェイスのキャップの挿入と固定とをスペースを有効利用して実現できる携帯電子機器を提供することを目的とする。
【課題を解決するための手段】
【０００７】
上述した不利益を解消するために、第１の発明の携帯電子機器は、外部機器との接続端子或いは記憶媒体の挿入口である外部インターフェイスを内包し、前記外部インターフェイスの挿入口を露出する開口部が形成された筐体と、前記開口部を覆うキャップ部材と、を有し、前記キャップ部材は、前記筐体内に差し込まれる舌片を有し、前記舌片の先端部に抜け止め部が形成され、前記筐体内には、前記開口部付近に所定の方向に弾性変形可能な係止部が形成されており、前記舌片が前記筐体内に挿入されるとき、前記抜け止め部により前記係止部が弾性変形して当該抜け止め部の挿入が許容され、当該抜け止め部が前記係止部を越えた場合には前記係止部の弾性変形が解除されてもとの形状に復帰し、当該係止部は前記抜け止め部の前記挿入方向とは逆方向への移動を規制する。
【０００８】
好適には、前記係止部は、前記筐体内において固定されたフレーム部材から延在され、当該係止部には、その先端部が前記キャップ部材の挿入方向を横切る方向に対向し、それぞれ可撓性を有する１対の爪部が形成されている。
【０００９】
好適には、前記係止部には、前記筐体内において固定されたフレーム部材から延在され、当該フレーム部材から前記キャップ部材の挿入方向を横切る方向に、片持ちで可撓性を有して延在される１本の爪部が形成されている。
【００１０】
好適には、前記爪部は、前記抜け止め部による挿入方向への加力に応じて、前記所定の方向へと前記係止部を弾性変形させるよう当該抜け止め部の挿入時における当接箇所が傾斜面に形成されている。
【００１１】
好適には、前記係止部の少なくとも一部は、前記筐体の内壁に当接し、当該係止部の前記挿入方向と逆方向への弾性変形が当該内壁により規制される。
【００１２】
好適には前記フレーム部材は、前記外部インターフェイスに隣接して前記筐体に固定され、前記係止部と前記外部インターフェイスとの間に前記舌片が挿入される。
【００１３】
好適には、前記筐体は、前記係止部と対向する箇所に外部給電端子を有し、前記係止部と前記外部給電端子との間には、前記係止部と当接するように給電端子が固定されており、前記外部給電端子と、前記給電端子のいずれかには、導電体であるとともに前記給電端子に付勢力を持って当接するバネ端子が形成され、前記バネ端子の付勢方向と前記係止部の弾性変形方向とは逆向きである。
【発明の効果】
【００１４】
本発明によれば、本発明は、簡単な構造で外部インターフェイスのキャップの挿入と固定とをスペースを有効活用して実現できる携帯電子機器を提供することができる。
【発明を実施するための最良の形態】
【００１５】
以下、本発明の実施形態について説明する。
以下説明する携帯端末１００は、本発明の携帯電子機器の一例である。
図１は、携帯端末１００の外観の一例を示す図である。
図１に示すように、本実施形態の携帯端末１００は、折り畳み型の携帯電話を想定している。図１に示すように、携帯端末１００は、上部筐体１０１と、下部筐体１０２と、ヒンジ部１０３とを有する。
【００１６】
図１（ａ）は、携帯端末１００が開かれた状態（開状態）を示した図である。
上部筐体１０１は、図１（ａ）に示すように、液晶や有機ＥＬにより構成された表示部１を有する。表示部１は、図１（ｂ）に示す携帯端末１００が折り畳まれた状態（閉状態）においては外部には露出しない上部筐体１０１の一面に配置されている。
下部筐体１０２は、図１（ａ）に示すように、キー操作部２を有し、またその筐体内に携帯端末１００の各種動作を司る回路基板１０を内包する。キー操作部２は、携帯端末１００の各機能を利用するために操作される操作入力受付装置である。回路基板１０は、携帯端末１００の各機能を実行するＩＣチップ等の電子部品が実装された基板である。回路基板１０の詳細については後述する。
下部筐体１０２には、図１（ｂ）に示すように、イヤホン端子、メモリスロット、充電或いはデータ通信用の端子等の外部インターフェイスのコネクタ用のコネクタキャップ３が設けられている。コネクタキャップ３の詳細については後述する。
ヒンジ部１０３は、上部筐体１０１と下部筐体１０２とを開閉し、図１（ａ）に示す携帯端末１００の開状態と図１（ｂ）に示す閉状態とを遷移可能とする回転軸を有するヒンジ機構である。
【００１７】
次に、携帯端末１００の下部筐体１０２に内包される回路基板１０について説明する。
図２は、下部筐体１０２の展開斜視図であり、回路基板１０が下部筐体１０２に内包されている様子を示した図である。
図２に示した各部位について説明する。
図２に示すように、下部筐体１０２はフロントケース１０２１、回路基板１０、リアケース１０２２、コネクタキャップ３、バネ端子４、バッテリ５、バッテリリッド１０４を有する。
図２の最下段は、下部筐体１０２のフロントケース１０２１と上部筐体１０１と説明のため１つにして示している。下部筐体１０２は、フロントケース１０２１と後述するリアケース１０２２とで構成され、後述する回路基板１０はこれらに挟まれ保持される。
回路基板１０は、図２に示すように、メイン基板１１、サブフレーム１２、サブ基板１３を有する。
【００１８】
メイン基板１１は、携帯端末１００の各機能を実行するための電子部品が実装された基板であり、イヤホン端子やデータ通信用端子であるＩＦ（インターフェイス）コネクタ１１１を有する。ＩＦコネクタ１１１は、ヘッドホン、データ通信ケーブル、充電ケーブル等を接続するためのコネクタであり、これらのケーブル類を接続して携帯端末１００の機能の拡張性を高める。従って、ＩＦコネクタ１１１はケーブル類と電気的に接続されるための端子であり、外部に露出された状態のままでは破損やエラーの恐れがあるため、ケーブル接続時以外は外部と遮断されていることが望ましい。このため、ケーブル類との接続時以外には、後述するコネクタキャップ３により外部から保護される。
【００１９】
サブフレーム１２は、正確には基板ではなく基板を保持するための樹脂製のフレームである。図２に示すようにサブフレーム１２はメイン基板１１をフロントケース１０２１に固定し、また後述するサブ基板１３を保持するための保持材である。
サブ基板１３は、メイン基板１１と同様、携帯端末１００の各機能を実行するための電子部品が実装された基板である。本実施形態では、メイン基板１１及びサブ基板１３にどのような機能を実行する電子部品が実装されているかについては限定しない。ただし、本実施形態では、サブ基板１３はＩＦコネクタは有していないものとする。
また、サブ基板１３は後述するリアケース１０２２の外部給電端子１０２２３及びバネ端子４を介してバッテリ５に給電するための給電端子１３１（図２及び図９を参照）を有する。
【００２０】
リアケース１０２２は、図２に示すように、ＩＦコネクタ１１１の挿入口である、ケーブル類を接続する及びコネクタキャップ３を配置するための開口部１０２２１と、後述するバッテリ５を保持するための孔部１０２２２と、外部給電端子１０２２３とを有する。
【００２１】
バネ端子４は、リアケース１０２２の外部給電端子１０２２３と後述するサブ基板１３の給電端子１３１とを電気的に接続するための端子部である。
バッテリ５は、携帯端末１００の各電子部品に電源を供給する電源ユニットであり、例えばリチウムイオン２次電池等の蓄電池で構成される。バッテリ５は、リアケース１０２２に設けられた外部給電端子１０２２３に接続された、図示しない外部電源からの給電をバネ端子４及びサブ基板１３の給電端子１３１を介して受け、充電される。
【００２２】
ここで、バネ端子４について詳細に説明する。
図３は、外部給電端子１０２２３、バネ端子４、サブ基板１３（特に図２におけるＡの部分）の給電端子１３１について説明するための図であり、外部給電端子１０２２３、バネ端子４、給電端子１３１を横切る面での断面図である。
外部給電端子１０２２３は、リアケース１０２２に設けられたバッテリ５充電用の端子であり、例えば充電用のクレイドル（図示しない）の電極部分と接触することにより電力の供給を受ける。外部給電端子１０２２３に供給された電力は、バネ端子４を通りサブ基板１３の給電端子１３１からメイン基板１１を介してバッテリ５に蓄えられる。
【００２３】
バネ端子４は、図３に示すように筒部４１、端子部４２、バネ部４３を有し、筒部４１の内部に端子部４２の一端が入り込み、端子部４２はバネ部４３によって外部給電端子１０２２３と接続されている。端子部４２の筒部４１に入っていない方の一端は、サブ基板１３の給電端子１３１と接触している。ここで、端子部４２及びバネ部４３は導電材料で構成されているため、外部給電端子１０２２３より供給された電力をバネ部４３及び端子部４２が給電端子１３１に伝達することができる。
バネ部４３は弾性力を有するバネ材で構成されており、端子部４２にはバネ部４３のバネ材の弾性力により給電端子１３１に押し付けられる方向に力が働いている。このため、サブ基板１３には、バネ端子４により図３における下方向に力が働いていることになる。これによる効果については、詳しくは後述する。
【００２４】
バッテリリッド（カバー）１０４は、バッテリ５をリアケース１０２２とともに挟んで保持するためのカバーである。
【００２５】
さて、本実施形態の携帯端末１００の特徴は、コネクタキャップ３を保持するためのサブフレーム１２及びリアケース１０２２の構造にある。以下、これについて詳細に説明する。
図４は、サブフレーム１２の詳細な斜視図である。
図４（ａ）は、サブフレーム１２を下、すなわち図２でのサブ基板１３側から見た斜視図である。
図２に示した各構成を結合して携帯端末１００を組み立てたとき、上記説明したメイン基板１１のＩＦコネクタ１１１の直上部となる部位が図４（ａ）に示した係止部２０であり、係止部２０はコネクタキャップ３をリアケース１０２２と挟んで保持するための構造を有する部位である。
【００２６】
図４（ｂ）は、サブフレーム１２を上から見た図、すなわち、図４（ａ）に示すサブフレーム１２の背面側を示した斜視図である。
また、図４（ｃ）は図４（ａ）に示した係止部２０の拡大図、図４（ｄ）は図４（ｂ）に示した係止部２０の背面図の拡大図である。
【００２７】
図４（ａ）〜（ｄ）に示すように、係止部２０は一対の爪部２１と、これを保持する保持部２２とを有する。爪部２１は、先端が対向する２つのバー形状にサブフレーム１２の柱部１２１から延長して一体形成されている。そして、保持部２２を中心として、それぞれの先端が独立して、図４（ｅ）のように上向きに動かせるように保持部２２に保持されている。ただし、保持部２２は弾性を有し、上向きに動かされた爪部２１に掛かる力がなくなると、爪部２１を図４（ａ）及び（ｃ）に示した元の位置に戻すような（図４における）下向きの弾性力が働くようになっている。図４（ｅ）に爪部２１の可動方向を矢印で示す。
また、保持部２２はサブフレーム１２の端部に設けられた柱状（或いは梁状）の柱部１２１に接続されている。また、図４（ｄ）に示すように、爪部２１にはそれぞれ傾斜部２１ａが、ＩＦコネクタ１１１側に形成されている。傾斜部２１ａ同士の幅は、舌片３２の挿入方向に対する幅とほぼ等しくなるように設けられている。
【００２８】
次にコネクタキャップ３について簡単に説明する。
図５は、コネクタキャップ３の一例を示した図である。
コネクタキャップ３は、キャップ部３１、舌片３２、抜け止め部３３を有する。キャップ部３１はＩＦコネクタ１１１を外部から遮断するためのカバー部分である。舌片３２及び抜け止め部３３は、携帯端末１００内に差し込まれ、コネクタキャップ３全体が携帯端末１００から外れないように保持されるための構造であり、抜け止め部３３が上述したサブフレームの係止部２０の爪部２１よりも奥に差し込まれることにより、コネクタキャップ３が抜けないように爪部２１により保持されることになる。
【００２９】
図６は、コネクタキャップ３を取り付けるときの携帯端末１００を示した図である。
図６（ａ）は、下部筐体１０２にコネクタキャップ３が取り付けられる様子を示した図である。すなわち、コネクタキャップ３の舌片３２が係止部２０に対して挿入されている途中の状態を示している。なお、図６（ａ）においては係止部２０が見えるようにするためにリアケース１０２２及びバッテリ５、バッテリリッド１０４は省略されている。
図６（ｂ）は、図６（ａ）に示した線Ｂ−Ｂ’における断面図である。
図６（ｂ）には、メイン基板１１のＩＦコネクタ１１１のために空けられたリアケース１０２２の開口部１０２２１に、コネクタキャップ３が取り付けされる様子が示されている。なお、図６（ｂ）を上（リアケース１０２２側）から見て要部を簡略化した図が図６（ｃ）である。図６（ｂ）に示すように、開口部１０２２１内にはサブフレーム１２の係止部２０の爪部２１が配置されている。爪部２１の特に傾斜部２１ａはＩＦコネクタ１１１とほぼ接触しており、爪部２１とＩＦコネクタ１１１との間にコネクタキャップ３の舌片３２が挿入される。１対の爪部２１の傾斜部２１ａ同士の間隔は舌片３２の幅よりも広いが、抜け止め部３３の幅よりも狭いため、コネクタキャップ３の舌片３２が挿入されると、舌片３２先端の抜け止め部３３が爪部２１と接触することになる。
【００３０】
爪部２１の傾斜部２１ａが設けられた部位は、図６（ｂ）に示すように、台形状の断面を有しており、コネクタキャップの３の舌片３２及び抜け止め部３３によって押されることにより、図６（ｂ）における上向きの力が発生するようになっている。爪部２１は、挿入の前後方向にはほぼ動かないようにリアケース１０２２の内壁及びサブ基板１３の給電端子１３１周辺の部位により規制されている。この様子を図６（ｄ）に示す。
【００３１】
コネクタキャップ３の抜け止め部３３により、より大きな力が加えられると、爪部２１は図６（ｄ）における上方向に動き、図７（ａ）のように抜け止め部３３の挿入が許容される状態となる。図７も図６と同様に、コネクタキャップ３を取り付けるときの携帯端末１００を示した図である。この状態からさらにコネクタキャップ３が携帯端末１００側に押されることにより、コネクタキャップ３の抜け止め部３３が完全に爪部２１を越え、図７（ｂ）に示すようになる。図７（ｂ）のコネクタキャップ３の各構成及び係止部２０の各構成を上から見た図が図７（ｃ）である。爪部２１は、図７（ｂ）における上向きに動いた場合には、上述したように保持部２２により下向きの力が働き元の位置に戻るように設計されているため、図７（ｂ）及び（ｃ）に示すように、抜け止め部３３が爪部２１を携帯端末１００の外側方向へと再度越えることがないように押さえられることになる。
コネクタキャップ３の舌片３２及び３３の挿入後、コネクタキャップ３は図７（ｄ）に示すように携帯端末１００の筐体と同一化し、ＩＦコネクタ１１１を外部より保護する。
【００３２】
次に、図６及び図７において挿入されたコネクタキャップ３に対して、引き抜くような力が掛かった場合について図８を参照して説明する。
図８（ａ）は、携帯端末１００に挿入されたコネクタキャップ３に引き抜き方向の力が掛かった場合を示した斜視図である。また、図８（ｂ）は図８（ａ）に示した場合の係止部２０付近の拡大図である。また、図８（ｃ）は図８（ａ）の線Ｃ−Ｃ’における断面図である。
【００３３】
図８（ａ）〜（ｃ）に示すように、一度係止部２０の爪部２１を越えて挿入されたコネクタキャップ３に引き抜き方向の力が掛かった場合、爪部２１の傾斜部２１ａの携帯端末１００における内部側の面は傾斜面ではないため、抜け止め部３３が爪部２１の内部側の面に当接する。抜け止め部３３により引き抜き方向の力が掛けられても、爪部２１は図８（ｃ）における上側に動くことはなく、抜け止め部３３が爪部２１を越えてコネクタキャップ３が引き抜かれることを阻止することができる。
【００３４】
ただし、図８（ａ）〜（ｃ）に示すように係止部２０の爪部２１に引き抜き方向の力が掛かった場合に、係止部２０の爪部２１及び保持部２２は引き抜き方向の力に対抗して変形しない強度を有しているわけではない（すなわち、爪部２１に抜け止め部３３による引き抜き方向の力が掛かったために爪部２１が引き抜き方向に移動したり図８（c）における斜めになったりして、抜け止め部３３が引っかかりを失って抜けてしまう事態が生じうる）ため、本実施形態の携帯端末１００では、リアケース１０２２の開口部１０２２１周辺部内側の壁面によって爪部２１が携帯端末１００の外側方向へと移動したり斜めになったりすることを阻止するようになっている。
【００３５】
すなわち、抜け止め部３３により爪部２１に引き抜き方向の力が掛かった場合に、図８（ｃ）に示すように、爪部２１の携帯端末１００における外側方向の面とリアケース１０２２の内壁面とが当接するように設計されているため、引き抜き方向の力によって爪部２１が外側方向に移動したり斜めの状態になったりして、抜け止め部３３が引っかかりを失ってコネクタキャップ３が引き抜かれてしまう事態を防止することができる。
【００３６】
なお、図６及び図７において説明したように、コネクタキャップ３の舌片３２が挿入された際には、係止部２０の爪部２１に図６における上向き方向（挿入方向に対して直行し、かつＩＦコネクタ１１１から離れる方向）の力が掛かることになる。この上向きの力は、ほぼ保持部２２の弾性力によって吸収可能であるが、力の掛かり具合によっては、サブフレーム１２の柱部１２１にまで上向きの力が掛かってしまうことも考えられる。サブフレーム１２は、回路基板１０及びサブ基板１３を支える樹脂等で形成されたフレーム部材であるため、力が加わることにより動いたり一部が変形したりするような事態を回避する必要がある。
【００３７】
本実施形態の携帯端末１００では、上述したように、図３に関連付けて説明したバネ端子４により、サブ基板１３の給電端子１３１付近の部位はリアケース１０２２から遠ざかる方向（図２における下方向）に力を与えられている。
なお、給電端子１３１はサブフレーム１２の係止部２０の特に柱部１２１のほぼ直上部に位置する。図９に給電端子１３１と係止部２０との詳細な位置関係を示す。図９は、給電端子１３１と係止部２０とを上（図２等における上側、すなわちリアケース１０２２に近い側）から見た図である。図９に示すように、給電端子１３１の直下に柱部１２１が伸びているため、給電端子１３１の外縁部のさらに外側に係止部２０の爪部２１及び保持部２２が給電端子１３１の端部から露出している形となっている。
従って、サブフレーム１２の柱部１２１はサブ基板１３の給電端子１３１の裏側部分と接触しており、例えコネクタキャップ３の挿入によって柱部１２１に力が加わったとしても、柱部１２１はサブ基板１３によって押さえられ、サブフレーム１２が動いたり一部が変形したりする事態を防止することができる。
【００３８】
以上説明したように、本実施形態の携帯端末１００によれば、ＩＦコネクタ１１１の挿入口を外部露出から保護するためのコネクタキャップ３が携帯端末１００に取り付けされるときには、コネクタキャップ３の舌片３２及び抜け止め部３３が携帯端末１００の筐体内のサブフレーム１２に設けられた係止部２０とＩＦコネクタ１１１との間に挿入されるが、係止部２０の爪部２１は、抜け止め部３３が挿入時に当接する面に携帯端末の内部側から外部側へと傾斜した傾斜部２１ａを有し、傾斜部２１ａが抜け止め部３３によって押されることにより、爪部２１をサブフレーム１２に保持する保持部２２が所定の方向に弾性変形し、抜け止め部３３が爪部２１を完全に越えて挿入が完了されることにより爪部２１が元の位置に戻り、抜け止め部３３の抜けを規制するように構成したため、簡単な構造でコネクタキャップ３を携帯端末１００の組み立て後の筐体に挿入し、固定できる。
【００３９】
特に、従来のコネクタキャップはコネクタキャップ自身が変形性を有し、挿入時に変形して挿入後に元の形に戻ることにより抜けを阻止するものが多かった。しかし、本実施形態の携帯端末１００では、コネクタキャップ３ではなく筐体内のサブフレーム１２に備えられた係止部２０が弾性変形するため、コネクタキャップ３の構造を簡単にでき、小型化できるとともに、筐体内にコネクタキャップ３の舌片３２を挿入して変形させるためのスペースを確保する必要がないため、携帯端末１００全体の構造を簡単にでき、小型化が可能となる。また、コネクタキャップ３の構造が簡単であるため、コスト面及び量産性において従来と比べ有利となる。すなわち、コネクタキャップ３の舌片３２を撓ませるためにスリットを設けたり、弾性量を確保するために大型化したり、強度が下がったりすることがない。特に、舌片３２の挿入方向と直交する方向における弾性を必要としないため、舌片３２の長さと幅の比率の自由度が大きくなる。
【００４０】
また、変形可能なコネクタキャップを変形させて筐体の開口部に押し込む従来例と比較して、本実施形態の携帯端末１００では変形する部材がコネクタキャップではなく筐体内の係止部２０（の保持部２２）であるため、コネクタキャップ３を挿入方向に押し込むだけで挿入が可能であり、コネクタキャップ３の取り付け行為自体が容易になっている。
【００４１】
なお、上述した実施形態では、係止部２０は一対の爪部２１を有していたが、以下のような形態とすることも考えられる。
図１０は、係止部の変形例を説明するための図である。
図１０に示すように、係止部の変形例、係止部２３は１つの爪部２４のみを有する。爪部２４は、弾性変形性を有する保持部２５によってサブフレーム１２に片持ちで保持される。
爪部２４は爪部２１と同様、図１０における下面（ＩＦコネクタ１１１側面）に傾斜部を有する（図１０には図示しない）。すなわち、舌片３２の幅方向に抜け止め部３３の幅未満のクリアランスを有し、２つの傾斜部が突出形成されている。爪部２４は、コネクタキャップ３の舌片３２及び抜け止め部３３により傾斜部が挿入方向に押されることで上向きに動くようになっており、抜け止め部３３が爪部２４を越えた後には保持部２５の弾性力により元の位置に戻り、抜け止め部３３の挿入方向と逆方向への移動を制限する。
【００４２】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００４３】
上述した実施形態では、サブフレーム１２に係止部２０が形成されるとしたが、本発明はこれには限定されない。例えば、リアケース１０２２に直接係止部を形成してもよい。
上述した実施形態では、サブフレーム１２及びサブ基板１３を有する構成としたが、これらの構成はなくてもよい。この場合、例えば上述したようにリアケース１０２２やフロントケース１０２１に上記説明したような係止部を形成すればよい。
【００４４】
また、上述した実施形態では、携帯電子機器の一例として、折り畳み式の携帯電話機である携帯端末１００について説明したが、本発明はこれには限定されない。例えば、折り畳み式でなくストレート形、スライド型等、他の形式の携帯電子機器であってもよい。また、携帯電話機だけでなく、ＰＤＡ（Personal Digital Assistant）やデジタルカメラ等、他の携帯電子機器であってもよい。
【図面の簡単な説明】
【００４５】
【図１】図１は、携帯端末の外観の一例を示す図である。
【図２】図２は、下部筐体の展開斜視図である。
【図３】図３は、外部給電端子、バネ端子、サブ基板の給電端子について説明するための図である。
【図４】図４は、サブフレームの詳細な斜視図である。
【図５】図５は、コネクタキャップを示した図である。
【図６】図６は、コネクタキャップを取り付けるときの携帯端末を示した図である。
【図７】図７は、コネクタキャップを取り付けるときの携帯端末を示した図である。
【図８】図８は、携帯端末に挿入されたコネクタキャップに引き抜き方向の力が掛かった場合を示した図である。
【図９】図９は、本実施形態の回路基板の形成方法について説明するための図である。
【図１０】図１０は、係止部の変形例を説明するための図である。
【符号の説明】
【００４６】
１００…携帯端末、１０１…上部筐体、１０２…下部筐体、１０２１…フロントケース、１０２２…リアケース、１０２２１…開口部、１０２２２…孔部、１０２２３…外部給電端子、１０３…ヒンジ部、１０４…バッテリリッド、１…表示部、２…キー操作部、３…コネクタキャップ、３１…キャップ部、３２…舌片、３３…抜け止め部、４…バネ端子、４１…筒部、４２…端子部、４３…バネ部、５…バッテリ、１０…回路基板、１１…メイン基板、１１１…コネクタ、１２…サブフレーム、１２１…柱部、１３…サブ基板、１３１…給電端子、２０…係止部、２１…爪部、２１ａ…傾斜部、２２…保持部、２３…係止部、２４…爪部、２５…保持部
【図１】
2009110749.tif 000003
【図２】
2009110749.tif 000004
【図３】
2009110749.tif 000005
【図４】
2009110749.tif 000006
【図５】
2009110749.tif 000007
【図６】
2009110749.tif 000008
【図７】
2009110749.tif 000009
【図８】
2009110749.tif 000010
【図９】
2009110749.tif 000011
【図１０】
2009110749.tif 000012